(57)【特許請求の範囲】
【請求項１】
建物の外壁を形成するアウターサッシと、このアウターサッシの各方立に、室内側に突出してそれぞれ取付けた上ブラケット、下ブラケットと、この上ブラケット、下ブラケットに室内側障子を取付けたインナーサッシと、このインナーサッシとアウターサッシとの間の空間部に設けたブラインドを備え、
前記隣接した一方の方立に取付けた上ブラケット、下ブラケットは縦穴をそれぞれ有し、前記室内側障子の戸尻側に上下動自在にそれぞれ取付けた上ピン、下ピンが、前記上ブラケットの縦穴、下ブラケットの縦穴に回転自在にそれぞれ嵌合し、前記室内側障子の戸尻側を、前記一方の方立に取付けた上ブラケット、下ブラケットに室内外側方向に回動自在に連結し、
前記隣接した他方の方立に取付けた上ブラケット、下ブラケットはロック用穴をそれぞれ有し、前記室内側障子の戸先側に上下のロックピンを、前記上ブラケットのロック用穴、下ブラケットのロック用穴に嵌合する位置と抜け出す位置に亘って移動自在にそれぞれ設け、この上下のロックピンを前記各ロック用穴に嵌合、抜き出しすることで、前記室内側障子の戸先側を隣接した他方の方立に取付けた上ブラケット、下ブラケットに係脱自在として内開きのインナーサッシとしたことを特徴とする二重窓。
【発明の詳細な説明】
【０００１】
【発明の属する技術分野】
本発明は、室外側のアウターサッシと室内側のインナーサッシの間にブラインドを取付けた二重窓に関する。
【０００２】
【従来の技術】
特公平４−４３５５７号公報に示す二重窓が提案されている。この二重窓は１つの窓枠の内外に、室外側障子と室内側障子を取付け、その障子間の空間部にブラインドを取付けてある。この二重窓であればブラインドで断熱、遮光して室内の空調効率を向上できる。
【０００３】
【発明が解決しようとする課題】
前述の二重窓は、窓枠の見込み寸法が室内側障子、室外側障子の見込み寸法と、その障子間に形成した空間部の見込み寸法の和に応じた寸法の特殊な窓枠であるからアウターサッシが建物の外壁を形成する窓の場合は用いることができない。
【０００４】
例えば、ビル等の建物躯体に方立を取付け、隣接する方立間に無目を連結して窓枠とし、その窓枠にガラス、障子等を取付けた方立式カーテンウオールと呼ばれる窓や、隣接した窓枠を方立で連結した連窓を二重窓にすることはできない。
【０００５】
そこで、本発明は前述の課題を解決できるようにした二重窓を提供することを目的とする。
【０００６】
【課題を解決するための手段】
本発明は、建物の外壁を形成するアウターサッシと、このアウターサッシの各方立に、室内側に突出してそれぞれ取付けた上ブラケット、下ブラケットと、この上ブラケット、下ブラケットに室内側障子を取付けたインナーサッシと、このインナーサッシとアウターサッシとの間の空間部に設けたブラインドを備え、
前記隣接した一方の方立に取付けた上ブラケット、下ブラケットは縦穴をそれぞれ有し、前記室内側障子の戸尻側に上下動自在にそれぞれ取付けた上ピン、下ピンが、前記上ブラケットの縦穴、下ブラケットの縦穴に回転自在にそれぞれ嵌合し、前記室内側障子の戸尻側を、前記一方の方立に取付けた上ブラケット、下ブラケットに室内外側方向に回動自在に連結し、
前記隣接した他方の方立に取付けた上ブラケット、下ブラケットはロック用穴をそれぞれ有し、前記室内側障子の戸先側に上下のロックピンを、前記上ブラケットのロック用穴、下ブラケットのロック用穴に嵌合する位置と抜け出す位置に亘って移動自在にそれぞれ設け、この上下のロックピンを前記各ロック用穴に嵌合、抜き出しすることで、前記室内側障子の戸先側を隣接した他方の方立に取付けた上ブラケット、下ブラケットに係脱自在として内開きのインナーサッシとしたことを特徴とする二重窓である。
【０００７】
【作用】
本発明によれば、建物の外壁を形成するアウターサッシの方立に上ブラケット、下ブラケットを取付け、この上ブラケット、下ブラケットに室内側障子を取付けることで二重窓としたから、既設のアウターサッシの方立を利用して室内側障子を容易に取付けできる。
これによって、既設のアウターサッシを容易に二重窓とすることができる。
【０００８】
また、上下のロックピンを、上ブラケット、下ブラケットのロック用穴からそれぞれ抜き出し、室内側障子を、上ピン、下ピンと上ブラケット、下ブラケットの縦穴との嵌合部を中心として回動することで、その室内側障子を開閉して空間部の室内寄りを開放したり、閉塞できるから、空間部内のブラインドを容易に清掃等できる。
また、上下のロックピンを上ブラケット、下ブラケットのロック用穴にそれぞれ嵌合することで、室内側障子を閉じ状態でロックできる。
【０００９】
【発明の実施の形態】
図１と図２に示すように、建物躯体に取付けた方立１間に無目２を取付けて方形状の窓枠３を形成する。この窓枠３にガラス４を装着して方立式カーテンウオール、つまり建物の外壁を形成する室外側のアウターサッシ５とする。前記方立１に左右の上ブラケット６と下ブラッケット７を室内側に突出してそれぞれ取付け、この左右の上ブラケット６と左右の下ブラケット７に室内側障子８を図３に示すように取付けてインナーサッシとする。
【００１０】
前記ガラス４と室内側障子８は室内外側方向に離隔して両者間に空間部９を形成している。この空間部９にブラインド１０を設けて二重窓としてある。前記１つの方立１に取付けた左右の上ブラット６と左右の下ブラケット７とに亘って縦受け材１１が上下方向に連続して取付けてあり、この縦受け材１１で方立１が室内から見えないようにしていると共に、左右に隣接した空間部９を連続している。  前記隣接した左右の上ブラケット６，６間に亘って上受け材１２が取付けてある。１３は天井、１４はブラインドボックスである。
【００１１】
前記室内側障子８は上枠２０と下枠２１と左右の縦枠２２を方形枠組みした枠体２３にガラス２４を装着してある。この室内側障子８は隣接した一方の方立１の上ブラケット６と下ブラケット７とに室内外側方向に回動自在に連結されてインナーサッシは内開き窓となっている。
【００１２】
前記左右一方の上ブラケット６と左右一方の下ブラケット７は図４と図５に示すように、その基端部６ａ，７ａが方立１の室内面１ａと側面１ｂに接してボルト３０で側面１ｂに固着してあり、先端部６ｂ，７ｂに縦穴３１が形成してある。この縦穴３１に一方の縦枠２２（つまり、室内側障子８の戸尻側）に上下動自在に取付けた上ピン３２、下ピン３３が回転自在に嵌合してヒンジ３４を形成している。室内側障子８はこのヒンジ３４を中心として室内外側方向に回動する。
【００１３】
前記左右他方の上ブラケット６、下ブラケット７の基端部６ａ，７ａは図６、図７、図８に示すように方立１にボルト３０で固着してある。上ブラケット６、下ブラケット７の先端部６ｂ，７ｂにはロック用穴３５がそれぞれ形成してある。室内側障子８の他方の縦枠２２上下端部寄り（つまり、室内側障子８の戸先側）に上下のロックピン３６が上下動自在に設けてある。この各ロックピン３６は圧縮コイルバネ３７で上方、下方に移動してロック用穴３５に嵌合し、操作つまみ３８を鉤形のガイド溝３９に沿って移動することでロック用穴３５から抜け出した位置に保持できる。このロック３５とロックピン３６で室内側障子８の戸先側を上下ブラケット６，７に係脱する手段を構成する。
【００１４】
前記下ブラケット７には水平に対して室内側が低くなった斜めのガイド面４０が形成してあり、室内側障子８の他方の縦枠寄り、つまり戸先側の下面にガイドローラ４１が取付けてある。室内側障子８を閉じるとガイドローラ４１がガイド面４０に乗り上げるから、室内側障子８をヒンジ３４を中心として室内側に回動した状態で戸先側が自重で垂れ下った場合に、室内側障子８を閉じるとガイドローラ４１がガイド面４０に乗り上げて戸先側を持ち上げて確実に閉じることができる。
【００１５】
室内側障子８はロックピン３６をロック用穴３５に嵌合することで閉じ状態で保持され、その室内側障子８に装着した気密材４２が縦受け材１１、上受け材１２に圧着して気密する。
【００１６】
このようであるから、空間部９の室内側上横縁部と室内側縦縁部が気密されると共に、空間部９の下部と上部が開口し、図１に示すようにブラインドボックス１４を介して天井１３に取付けた吸引装置１５で空間部９の内の空気を吸引することで室内の空気が吸引されて空間部９内を流通する。
【００１７】
また、図９に示すように、方立１の室内面１ａに間仕切り部材４３を接して室内を左右に間仕切りした場合には縦受け材１１をそれぞれの上、下ブラケット６，７間に取付ければ良い。
【００１８】
また、図１０に示すように、方立１が柱４４と対向している場合には、柱４４と方立１との間に仕切り部材４５を取付け、柱４４にブラケット４６を取付ける。このブラケット４６を前述の左右他方の上、下ブラケット６，７と同様にロック用穴３５とガイド面４０を有する形状とする。
【００１９】
次に本発明の第２の実施の形態を説明する。
図１１と図１２に示すように、方立１の側面１ｂ間に無目２を連結して窓枠３とし、その窓枠３にガラス４を装着してアウターサッシ５とする。方立１の室内面１ａに上ブラケット６と下ブラケット７をビス５０で固着し、その上ブラケット６と同一高さ位置に横材５１を左右の方立１の側面１ｂ間に横架連結する。
【００２０】
室内側障子８を上ブラケット６、下ブラケット７に前述と同様に内開き可能に取付ける。その縦枠２２に装着した気密材４２を方立１の室内面１ａに圧着し、上枠２０に装着した気密材４２を横材５１の室内面５１ａに圧着して、室内の空気が矢印で示すように空間部９の下部から吸引されて空間部９を通って上部からダクト１６に流れるようにする。
【００２１】
以上の実施の形態では方立式カーテンウオールについて述べたが、連窓の方立を利用して室内側障子を取付けて二重窓とすることもできる。
【００２２】
【発明の効果】
請求項１に係る発明によれば、アウターサッシの方立に上ブラケット、下ブラケットを取付け、この上ブラケット、下ブラケットに室内側障子を取付けることで二重窓としたから、既設のアウターサッシの方立を利用して室内側障子を容易に取付けできる。
これによって、既設のアウターサッシを容易に二重窓とすることができる。
【００２３】
また、上下のロックピンを、上ブラケット、下ブラケットのロック用穴からそれぞれ抜き出し、室内側障子を、上ピン、下ピンと上ブラケット、下ブラケットの縦穴との嵌合部を中心として回動することで、その室内側障子を開閉して空間部の室内寄りを開放したり、閉塞できるから、空間部内のブラインドを容易に清掃等できる。
また、上下のロックピンを上ブラケット、下ブラケットのロック用穴にそれぞれ嵌合することで、室内側障子を閉じ状態でロックできる。
【図面の簡単な説明】
【図１】  本発明の第１の実施の形態を示す概略縦断面図である。
【図２】  本発明の第１の実施の形態を示す概略横断面図である。
【図３】  本発明の第１の実施の形態を示す概略内観図である。
【図４】  図３のＡ−Ａ詳細拡大断面図である。
【図５】  図２のＢ部拡大詳細図である。
【図６】  図２のＣ部拡大詳細図である。
【図７】  図３のＤ−Ｄ詳細拡大断面図である。
【図８】  図７の右側面図である。
【図９】  間仕切り部材で室内を仕切った場合の横断面図である。
【図１０】  柱がある場合の横断面図である。
【図１１】  本発明の第２の実施の形態を示す縦断面図である。
【図１２】  本発明の第２の実施の形態を示す横断面図である。
【符号の説明】
１…方立
２…無目
３…窓枠
４…ガラス
５…アウターサッシ
６…上ブラケット
７…下ブラケット
８…室内側障子
８−１…第１の室内側障子
８−２…第２の室内側障子
９…空間部
１０…ブラインド
１４…ブラインドボックス
１５…送風機
１６…ダクト
３４…ヒンジ
３５…ロック用孔
３６…ロックピン
【図１】
0003876398.tif 000002
【図２】
0003876398.tif 000003
【図３】
0003876398.tif 000004
【図４】
0003876398.tif 000005
【図５】
0003876398.tif 000006
【図６】
0003876398.tif 000007
【図７】
0003876398.tif 000008
【図８】
0003876398.tif 000009
【図９】
0003876398.tif 000010
【図１０】
0003876398.tif 000011
【図１１】
0003876398.tif 000012
【図１２】
0003876398.tif 000013